(57)【要約】【課題】軽量化が容易な農作業機を提供する。【解決手段】農作業機１は、トラクタの３点リンク部のトップリンクに連結するトップマスト１８と、トラクタからの動力を入力する入力軸７とを備える。農作業機１は、入力軸７を回転可能に保持した軸保持ケース部６を有するとともに、マスト被取付部１７を有する機枠２を備える。トップマスト１８は、機枠２のマスト被取付部１７に取り付ける。軸保持ケース部６、アルミ製のケース部材５にて構成する。【選択図】        図１
2004305126.tif 000002
【特許請求の範囲】
【請求項１】
走行車に連結され、この走行車の走行により移動しながら作業をする農作業機であって、
前記走行車の３点リンク部のトップリンクに連結されるトップマストと、
前記走行車からの動力を入力する入力軸と、
この入力軸を回転可能に保持した軸保持ケース部を有するとともにマスト被取付部を有する機枠とを備え、
前記トップマストは、前記機枠の前記マスト被取付部に取り付けられ、
前記機枠の前記軸保持ケース部は、鉄より軽い軽量素材からなるケース部材にて構成されている
ことを特徴とする農作業機。
【請求項２】
走行車に連結され、この走行車の走行により移動しながら耕耘整地作業をするセンタードライブ方式の折畳可能な農作業機であって、
前記走行車の３点リンク部のトップリンクに連結されるトップマストと、
前記走行車からの動力を入力する入力軸と、
この入力軸を回転可能に保持し下面部に伝動ケースが取り付けられた軸保持ケース部を有するとともにマスト被取付部を有する機枠とを備え、
前記トップマストは、前記機枠の前記マスト被取付部に取り付けられ、
前記機枠の前記軸保持ケース部は、鉄より軽い軽量素材からなるケース部材にて構成されている
ことを特徴とする農作業機。
【発明の詳細な説明】
【０００１】
【発明の属する技術分野】
本発明は、走行車の走行により移動しながら作業をする農作業機に関する。
【０００２】
【従来の技術】
従来、例えば走行車（トラクタ）の３点リンク部のトップリンクに連結されるトップマストを、走行車からの動力を入力する入力軸を回転可能に保持した鉄製の軸保持ケース部（ミッションケース）の上面部に取り付けた折畳式の農作業機が知られている（例えば、特許文献１参照。）。
【０００３】
【特許文献１】
特開２０００−３４２００１号公報（第４頁、図３）
【０００４】
【発明が解決しようとする課題】
しかしながら、上記従来の農作業機では、農作業機の略全体の重量が軸保持ケース部に働くため、軸保持ケース部の強度を十分に強くする必要があり、軽量化が容易でないという問題がある。
【０００５】
本発明は、このような点に鑑みなされたもので、軽量化が容易な農作業機を提供することを目的とする。
【０００６】
【課題を解決するための手段】
請求項１記載の農作業機は、走行車に連結され、この走行車の走行により移動しながら作業をする農作業機であって、前記走行車の３点リンク部のトップリンクに連結されるトップマストと、前記走行車からの動力を入力する入力軸と、この入力軸を回転可能に保持した軸保持ケース部を有するとともにマスト被取付部を有する機枠とを備え、前記トップマストは、前記機枠の前記マスト被取付部に取り付けられ、前記機枠の前記軸保持ケース部は、鉄より軽い軽量素材からなるケース部材にて構成されているものである。
【０００７】
そして、トップマストを機枠のマスト被取付部に取り付け、機枠の軸保持ケース部を鉄より軽い軽量素材からなるケース部材にて構成するものであるから、従来の農作業機に比べて、容易に軽量化が図られる。
【０００８】
請求項２記載の農作業機は、走行車に連結され、この走行車の走行により移動しながら耕耘整地作業をするセンタードライブ方式の折畳可能な農作業機であって、前記走行車の３点リンク部のトップリンクに連結されるトップマストと、前記走行車からの動力を入力する入力軸と、この入力軸を回転可能に保持し下面部に伝動ケースが取り付けられた軸保持ケース部を有するとともにマスト被取付部を有する機枠とを備え、前記トップマストは、前記機枠の前記マスト被取付部に取り付けられ、前記機枠の前記軸保持ケース部は、鉄より軽い軽量素材からなるケース部材にて構成されているものである。
【０００９】
そして、トップマストを機枠のマスト被取付部に取り付け、機枠の軸保持ケース部を鉄より軽い軽量素材からなるケース部材にて構成するものであるから、従来のセンタードライブ方式の折畳可能な農作業機に比べて、容易に軽量化が図られる。
【００１０】
【発明の実施の形態】
以下、本発明の農作業機の一実施の形態の構成を図面を参照して説明する。
【００１１】
図１ないし図４において、１は農作業機で、この農作業機１は、例えば走行車であるトラクタ（図示せず）に連結され、このトラクタの走行により進行方向に向って移動しながら耕耘整地作業等をするセンタードライブ方式の折畳可能な代掻きハローである。
【００１２】
この農作業機１は、機枠２と、この機枠２に１本の回動中心軸線Ｘを中心として上下回動可能に設けられ回動中心軸線Ｘを中心とする上方回動（回動角度は例えば８５度）により折畳非作業状態に切り換えられ回動中心軸線Ｘを中心とする下方回動により展開作業状態に切り換えられる左右一対の耕耘整地作業部３とを備えている。
【００１３】
機枠２は、鉄より軽い軽量素材、例えばアルミニウムからなるケース部材５にて構成された略箱状の軸保持ケース部（ミッションケース）６を有している。このアルミ製で薄肉状の軸保持ケース部６にて、トラクタからの動力を入力する前後方向の入力軸７が前方に向って突出した状態で回転可能に保持されている。この入力軸７には、トラクタのＰＴＯ軸にユニバーサルジョイントを介して連結される。なお、略箱状のケース部材５は、例えば鉄鋳物より軽いアルミ鋳物からなるものである。
【００１４】
また、図４に示すように、軸保持ケース部６の後面部には、軸支持体１１が取り付けられている。そして、この軸支持体１１にて、回動中心軸線Ｘと一致する第１回動軸１３が支持されている。
【００１５】
さらに、軸保持ケース部６の下面部には、伝動ケース１４が取り付けられている。そして、この伝動ケース１４の下部には、入力軸７に接続された図示しない伝動手段（ベベルギア、スプロケットおよびチェーン等）からの動力を受けて回転する出力回転体１５が取り付けられている。
【００１６】
また一方、機枠２は、互いに離間対向した左右一対の板部材１６にて構成されたマスト被取付部１７を有している。そして、このマスト被取付部１７には、トラクタの３点リンク部（作業機昇降支持装置）のトップリンクに連結されるトップマスト１８の基端部が取り付けられている。このトップマスト１８の先端部には、左右方向のピン部１９が形成されている。
【００１７】
また、機枠２は、正面視で略逆Ｕ字状をなすフレームパイプ部２１を有している。そして、このフレームパイプ部２１の水平部分２２の略中央位置にマスト被取付部１７が固着されている。
【００１８】
さらに、このフレームパイプ部２１の左右両側の垂直部分２３には、トラクタの３点リンク部のロワリンクに連結される左右一対のロワアーム２５が取り付けられている。各ロワアーム２５の先端部には、左右方向のピン部２６が形成されている。なお、中央のトップマスト１８および左右一対のロワアーム２５にて３点連結部２７が構成され、この３点連結部２７はトラクタの３点リンク部に直結されたり、連結フレーム（クイックカプラ）を介して連結されたりする。
【００１９】
また、フレームパイプ部２１の左右両側の垂直部分２３の下端部相互は、左右方向に長手状の横長フレームパイプ部２８にて一体的に連結されている。この横長フレームパイプ部２８の両端部には、収納時等に農作業機１を支持するスタンド装置２９のためのスタンドホルダ３０が取り付けられている。
【００２０】
なお、機枠２の左右両側には、折畳非作業状態の耕耘整地作業部３を機枠２に対して解除可能に固定するための折畳ロック手段３１が設けられているとともに、展開作業状態の耕耘整地作業部３を機枠２に対して解除可能に固定するための展開ロック手段３２が設けられている。展開ロック手段３２は例えば２つの解除レバー３３を有する２重ロック方式のものであり、折畳ロック手段３１も２重ロック方式のものである。
【００２１】
左右一対の耕耘整地作業部３は、これら左右一対の耕耘整地作業部３のそれぞれに共通のもので農作業機１の左右方向略中央部に位置する１本の回動中心軸線Ｘを中心とする上下回動、すなわち例えば左右一対の耕耘整地作業部３のそれぞれに共通のもので軸支持体１１に取り付けられ農作業機１の左右方向略中央部に配設され回動中心軸線Ｘ上に位置する共通軸部材であるそれぞれが１本の第１回動軸１３および第２回動軸３４を中心とする上下回動により、折畳非作業状態および展開作業状態に切り換えられるものである。
【００２２】
つまり、これら左右一対の耕耘整地作業部３は、垂直方向に対して傾斜した前傾状の回動中心軸線（第１回動軸１３および第２回動軸３４）Ｘを中心とする上方回動により略Ｖ字状の折畳非作業状態に切り換えられ、前傾状の回動中心軸線（第１回動軸１３および第２回動軸３４）Ｘを中心とする下方回動により略直線状で水平状の展開作業状態に切り換えられるものである。
【００２３】
ここで、左右一対の耕耘整地作業部３のそれぞれは、左右対称のもので、機枠２にこの機枠２の左右方向略中央部上側に位置する１本の第１回動軸１３を介して上下回動可能に設けられた可動機枠４１を有している。
【００２４】
これら左右一対の可動機枠４１は、これら左右一対の可動機枠４１のそれぞれに共通の１本の第１回動軸１３を中心とする上下回動により折畳非作業状態および展開作業状態に切換可能となっている。そして、両可動機枠４１の回動中心である１本の第１回動軸１３は、機枠２の軸保持ケース部６の後面部に軸支持体１１を介して取り付けられ、軸保持ケース部６の後方にこの軸保持ケース部６に近接して位置する。
【００２５】
各可動機枠４１には、出力回転体１５と係脱可能に係合してこの出力回転体１５から入力軸７側からの動力を受けて所定方向に駆動回転しながら耕耘作業をするロータリ式の耕耘体（ロータリ）４２が回転可能に設けられている。すなわち、入力軸７側から動力を受けて回転して耕耘作業をする耕耘体４２が可動機枠４１にて回転可能に支持され、この耕耘体４２の上方は可動機枠４１のカバー部にて覆われており、この可動機枠４１は耕耘体４２に対するカバー機能を兼ね備えている。
【００２６】
また、このカバー機能をもった可動機枠４１の後端部には、耕耘体４２の後方位置で整地作業をする略板状の整地体である第１の整地体（均平板）４３がゴム板を介して上下回動可能に設けられている。すなわち、耕耘体４２の後方位置で整地作業をする第１の整地体４３が可動機枠４１にてゴム板を介して上下回動可能に支持されている。
【００２７】
さらに、この第１の整地体４３の後端部には、耕耘体４２の後方位置において上下回動可能なフリー状態で整地作業をし上下回動不能なロック状態で土引き作業をする略板状の整地体である第２の整地体（レーキ）４５が左右方向の回動軸４６を介して上下回動可能に設けられている。これら左右一対の第２の整地体４５は、これら左右一対の第２の整地体４５のそれぞれに共通の１本の第２回動軸３４を中心とする各回動により折畳非作業状態および展開作業状態に切換可能となっている。
【００２８】
そして、左右一対の可動機枠４１は、これら左右一対の可動機枠４１のそれぞれに共通の１本の第１回動軸１３を介して互いに連結されている。
【００２９】
すなわち例えば、進行方向右側の可動機枠４１の補強連結パイプ部４７の内端部と進行方向左側の可動機枠４１の補強連結パイプ部４７の内端部とが、それぞれ機枠２の軸保持ケース部６の後面部に軸支持部材を介して取り付けられた１本の第１回動軸１３を介して互いに連結されている。右側の可動機枠４１の補強連結パイプ部４７の略筒状の内端部が第１回動軸１３の後部に回動可能に連結され、左側の可動機枠４１の補強連結パイプ部４７の略筒状の内端部が第１回動軸１３の前部に回動可能に連結されている。なお、各補強連結パイプ部４７は、それぞれ可動機枠４１の上部にこの上部の略全長にわたって形成されている。
【００３０】
また、左右一対の第２の整地体４５は、これら左右一対の第２の整地体４５のそれぞれに共通の１本の第２回動軸３４を介して互いに連結されている。
【００３１】
すなわち例えば進行方向右側の第２の整地体４５の内端部と進行方向左側の第２の整地体４５の内端部とが、１本の第２回動軸３４を介して互いに連結されている。右側の第２の整地体４５の内端部に形成されたコ字状部４８の孔と左側の第２の整地体４５の内端部に形成されたコ字状部４８の孔とに第２回動軸３４が挿通されている。
【００３２】
そして、両可動機枠４１間の第１回動軸１３と両第２の整地体４５間の第２回動軸３４とが略一直線（回動中心軸線Ｘ）上に位置した状態時に、手動操作により左右両側の可動機枠４１および第２の整地体４５がそれぞれ第１回動軸１３および第２回動軸３４を中心として回動することにより、左右一対の耕耘整地作業部３が略Ｖ字状の折畳非作業状態および略直線水平状の展開作業状態に切り換えられる。
【００３３】
なお、人的な手動操作を容易にするために、中央の機枠２と左右の可動機枠４１との間にそれぞれガススプリング４９が配設されている。なお、農作業機１は、左右一対の第２の整地体４５を一斉にフリー状態およびロック状態に設定可能な１個の整地体操作手段５０を備えている。
【００３４】
次に、上記一実施の形態の動作等を説明する。
【００３５】
農作業機１を用いて耕耘整地作業を行う場合、農作業機１の３点連結部２７をトラクタの３点リンク部に連結した後、スタンド装置２９を機枠２のスタンドホルダ３０から取り外す。
【００３６】
次いで、左右一対の耕耘整地作業部３が折畳非作業状態になっていれば、折畳ロック手段３１のロック解除をしてから左右一対の耕耘整地作業部３の両方を略同軸上に位置する前傾状の第１回動軸１３および第２回動軸３４を中心としてそれぞれ下方回動させることにより略直線水平状の展開作業状態に切り換える。耕耘整地作業部３が展開作業状態になると、耕耘体４２の内端部と出力回転体１５とが係合し、出力回転体１５から耕耘体４２への動力伝達が可能な状態となる。
【００３７】
そして、トラクタを走行させて農作業機１を移動させると、展開作業状態の両耕耘整地作業部３の出力回転体１５からの動力で耕耘体４２が回転して耕耘作業を行い、第１の整地体４３およびフリー状態の第２の整地体４５が整地作業を行う。こうして、展開作業状態の両耕耘整地作業部３にて、耕耘整地作業が行われる。
【００３８】
なお、圃場の畦際等で土引き作業を行う場合には、整地体操作手段５０を回動操作して左右一対の第２の整地体４５を上下回動不能なロック状態に設定する。
【００３９】
また、耕耘整地作業等が終了した後、例えば農作業機１を倉庫まで運搬する場合、展開ロック手段３２のロック解除をしてから左右一対の耕耘整地作業部３の両方を略同軸上に位置する前傾状の第１回動軸１３および第２回動軸３４を中心としてそれぞれ上方回動させることにより略Ｖ字状の折畳非作業状態に切り換える。
【００４０】
両耕耘整地作業部３がそれぞれ上方回動して略Ｖ字状の折畳非作業状態に切り換わると、トラクタに対する農作業機１の側方への突出量が減少するため、走行の安全性を容易に確保でき、農作業機１の運搬を容易に行うことができる。
【００４１】
そして、上記一実施の形態の農作業機１は、トップマスト１８を機枠２のマスト被取付部１７に取り付けるものであり、かつ、機枠２の軸保持ケース部６を薄肉状のアルミ鋳物からなるケース部材５にて構成するものであるから、従来の農作業機に比べて、農作業機１の軽量化を容易かつ確実に図ることができ、小型トラクタに最適な農作業機１を提供することができる。
【００４２】
なお、農作業機１は、折畳可能な耕耘整地作業部３を備える折畳式のものには限定されず、折畳不可能な耕耘整地作業部を備えるものでもよく、また耕耘整地作業以外の作業をするものでもよい。
【００４３】
また、機枠２の軸保持ケース部６は、アルミ鋳物にて構成されたものには限定されず、アルミ以外の軽量素材、例えば合成樹脂で薄肉状に形成されたもの等でもよい。
【００４４】
さらに、農作業機１は、左右方向略中央部に耕耘体、第１の整地体および第２の整地体等からなる土作業部を有する左右３分割式のものとすることもできる。
【００４５】
また、耕耘整地作業部３は、カバー機能をもった可動機枠４１の後端部に第１の整地体４３がゴム板を介して設けられたものには限定されず、可動機枠４１の後端部に第１の整地体４３が直接的に設けられたものでもよい。
【００４６】
さらに、農作業機１は、第２の整地体４５を有しない左右一対の耕耘整地作業部をそれぞれに共通の１本の折畳中心軸を中心とする回動により折畳非作業状態および展開作業状態に切り換えるようなものでもよい。
【００４７】
【発明の効果】
請求項１の発明によれば、トップマストを機枠のマスト被取付部に取り付け、機枠の軸保持ケース部を鉄より軽い軽量素材からなるケース部材にて構成するものであるから、従来の農作業機に比べて、容易に軽量化を図ることができる。
【００４８】
請求項２の発明によれば、トップマストを機枠のマスト被取付部に取り付け、機枠の軸保持ケース部を鉄より軽い軽量素材からなるケース部材にて構成するものであるから、従来のセンタードライブ方式の折畳可能な農作業機に比べて、容易に軽量化を図ることができる。
【図面の簡単な説明】
【図１】本発明の農作業機の一実施の形態を示す正面図である。
【図２】同上農作業機の非折畳時の側面図である。
【図３】同上農作業機の折畳時の側面図である。
【図４】同上農作業機の要部側面図である。
【符号の説明】
１    農作業機
２    機枠
５    ケース部材
６    軸保持ケース部
７    入力軸
１４    伝動ケース
１７    マスト被取付部
１８    トップマスト
【図１】
2004305126.tif 000003
【図２】
2004305126.tif 000004
【図３】
2004305126.tif 000005
【図４】
2004305126.tif 000006